(57)【特許請求の範囲】
【請求項１】
無線通信システム中、再配置メッセージを処理する方法であって、
ＳＰＳ  Ｃ-ＲＮＴＩ(Semi-Persistent  Scheduling  Cell  Radio  Network  Temporary  Identity)によりアドレスされるＰＤＣＣＨ(Physical  Downlink  Control  Channel)により、ダウンリンク（ＤＬ）割り当てまたはアップリンク（ＵＬ）授与を有するユーザー装置（ＵＥ）を配置する工程と、
ＲＲＣ(Radio  Resource  Control)層等の高層で、前記ＵＥで、ＳＰＳ(Semi-Persistent  Scheduling)操作の再配置メッセージを受信する工程と、
前記再配置メッセージが前記ＳＰＳ操作の解放を含む場合、前記再配置メッセージに基づいて、前記ＵＥで、前記ＳＰＳ操作を再配置する工程と、
前記再配置メッセージが、前記ＳＰＳ操作のパラメータへの変化を有する場合、前記ＵＥで、前記再配置メッセージを無視する工程と、
を含むことを特徴とする方法。
【請求項２】
無線通信システム中、再配置メッセージを処理する方法であって、
ＳＰＳ  Ｃ-ＲＮＴＩ(Semi-Persistent  Scheduling  Cell  Radio  Network  Temporary  Identity)によりアドレスされるＰＤＣＣＨ(Physical  Downlink  Control  Channel)により、ダウンリンク（ＤＬ）割り当てまたはアップリンク（ＵＬ）授与を有するユーザー装置（ＵＥ）を配置する工程と、
ＲＲＣ(Radio  Resource  Control)層等の高層で、前記ＵＥで、ＳＰＳ(Semi-Persistent  Scheduling)操作の再配置メッセージを受信する工程と、
前記再配置メッセージが前記ＳＰＳ操作の解放を含む場合、前記再配置メッセージに基づいて、前記ＵＥで、前記ＳＰＳ操作を再配置する工程と、
前記再配置メッセージが前記ＳＰＳ操作の前記解放を含まない場合、前記ＵＥで、前記再配置メッセージを無視する工程と、
を含むことを特徴とする方法。
【請求項３】
前記ＳＰＳ操作の前記解放は、前記ＳＰＳ  Ｃ-ＲＮＴＩの解放、sps-ConfigDLおよび／またはsps-ConfigULを含むことを特徴とする請求項１又は２に記載の方法。
【請求項４】
前記ＳＰＳ操作の前記パラメータは、ＳＰＳ  Ｃ-ＲＮＴＩ、ＳＰＳ間隔または前記ＳＰＳ操作に用いられる複数のＨＡＲＱ工程を含むことを特徴とする請求項１に記載の方法。
【請求項５】
無線通信システム中、再配置メッセージを処理する通信装置であって、前記通信装置は、
制御回路と、
前記制御回路にインストールされるプロセッサと、
前記制御回路にインストールされ、動作可能なように前記プロセッサに結合されるメモリと、
を含み、
前記プロセッサが配置されて、メモリに保存されるプログラムコードを実行して、前記再配置メッセージを処理し、
ＳＰＳ  Ｃ-ＲＮＴＩ(Semi-Persistent  Scheduling  Cell  Radio  Network  Temporary  Identity)によりアドレスされるＰＤＣＣＨ(Physical  Downlink  Control  Channel)により、ダウンリンク（ＤＬ）割り当てまたはアップリンク（ＵＬ）授与を有するユーザー装置（ＵＥ）を配置する工程と、
ＲＲＣ(Radio  Resource  Control)層等の高層中、前記ＵＥで、ＳＰＳ(Semi-Persistent  Scheduling)操作の再配置メッセージを受信する工程と、
前記再配置メッセージが前記ＳＰＳ操作の解放を含む場合、前記再配置メッセージに基づいて、前記ＵＥで、前記ＳＰＳ操作を再配置する工程と、
前記再配置メッセージが、前記ＳＰＳ操作のパラメータへの変化を含む場合、前記ＵＥで、前記再配置メッセージを無視する工程と、を含むことを特徴とする通信装置。
【請求項６】
無線通信システム中、再配置メッセージを処理する通信装置であって、前記通信装置は、
制御回路と、
前記制御回路にインストールされるプロセッサと、
前記制御回路にインストールされ、動作可能なように前記プロセッサに結合されるメモリと、
を含み、
前記プロセッサが設置されて、メモリに保存されるプログラムコードを実行し、前記再配置メッセージを処理し、
ＳＰＳ  Ｃ-ＲＮＴＩ(Semi-Persistent  Scheduling  Cell  Radio  Network  Temporary  Identity)によりアドレスされるＰＤＣＣＨ(Physical  Downlink  Control  Channel)により、ダウンリンク（ＤＬ）割り当てまたはアップリンク（ＵＬ）授与を有するユーザー装置（ＵＥ）を配置する工程と、
ＲＲＣ(Radio  Resource  Control)層等の高層中、前記ＵＥで、ＳＰＳ(Semi-Persistent  Scheduling)操作の再配置メッセージを受信する工程と、
前記再配置メッセージが前記ＳＰＳ操作の解放を含む場合、前記再配置メッセージに基づいて、前記ＵＥで、前記ＳＰＳ操作を再配置する工程と、
前記再配置メッセージが前記ＳＰＳ操作の前記解放を含まない場合、前記ＵＥで、前記再配置メッセージを無視する工程を含むことを特徴とする通信装置。
【請求項７】
前記ＳＰＳ操作の前記解放は、前記ＳＰＳ  Ｃ-ＲＮＴＩの解放、sps-ConfigDLおよび／またはsps-ConfigULを含むことを特徴とする請求項５又は６に記載の通信装置。
【請求項８】
前記ＳＰＳ操作の前記パラメータは、ＳＰＳ  Ｃ-ＲＮＴＩ、ＳＰＳ間隔または前記ＳＰＳ操作に用いられる複数のＨＡＲＱ(Hybrid  Automatic  Repeat  Request)工程を含むことを特徴とする請求項５に記載の通信装置。
【請求項９】
無線通信システム中、再配置メッセージを処理する方法であって、
ＭＡＣ(Medium  Access  Control)層等の低層で、特定操作を実行する工程と、
ＲＲＣ(Radio  Resource  Control)層等の高層中、ユーザー装置（ＵＥ）で、前記特定操作の再配置メッセージを受信する工程と、
前記再配置メッセージが前記特定操作の解放を含む場合、前記再配置メッセージに基づいて、前記ＵＥで、前記特定操作を再配置する工程と、
前記再配置メッセージが、前記特定操作のパラメータへの変化を含む場合、前記ＵＥで、前記再配置メッセージを無視する工程と、
を含むことを特徴とする方法。
【請求項１０】
無線通信システム中、再配置メッセージを処理する方法であって、
ＲＲＣ(Radio  Resource  Control)層等の高層で、ＳＰＳ(Semi-Persistent  Scheduling)操作の第一再配置メッセージを伝送する工程と、
前記第一再配置メッセージに従って、ＭＡＣ(Medium  Access  Control)層等の低層中で、前記ＳＰＳ操作を実行する工程と、
前記第二再配置メッセージが前記ＳＰＳ操作の解放を含む、または、前記第二再配置がハンドオーバメッセージである時以外は、前記高層で、前記ＳＰＳ操作を再配置するために、第二再配置メッセージを伝送しない工程と、
を含むことを特徴とする方法。
【請求項１１】
前記ＳＰＳ操作の前記解放は、前記ＳＰＳ  Ｃ-ＲＮＴＩの解放、sps-ConfigDLおよび／またはsps-ConfigULを含むことを特徴とする請求項１０に記載の方法。
【発明の詳細な説明】
【技術分野】
【０００１】
この出願は、２０１１年１２月２日に出願された米国特許仮出願番号第６１/５６６２４５号から、優先権を主張するものであり、その内容は引用によって本願に援用される。
【０００２】
本発明は、無線通信ネットワークに関するものであって、特に、無線通信システム中、ＳＰＳ(Semi-Persistent)操作を再配置する方法と装置に関するものである。
【背景技術】
【０００３】
移動通信装置上の大量のデータ通信に対する要求が急速に増加するにつれて、従来の携帯音声通信ネットワークは、インターネットプロトコル  (ＩＰ)  データパケットと通信するネットワークに発展している。このようなＩＰデータパケット通信は、移動通信装置のユーザーに、ボイスオーバーＩＰ、マルチメディア、マルチキャストおよびオンデマンド通信サービスを提供することができる。  
次世代ユニバーサル地上無線アクセスネットワーク  (Ｅ-ＵＴＲＡＮ)は、常用のネットワーク構造である。Ｅ-ＵＴＲＡＮシステムは、高いデータスループットを提供して、上述のボイスオーバーＩＰおよびマルチメディアサービスを実現することができる。Ｅ-ＵＴＲＡＮシステムの標準化作業は、３ＧＰＰ規格組織により実行される。したがって、３ＧＰＰ規格の現在の組織への変化が提出および考慮されて、３ＧＰＰ規格を進化させ、仕上げている。
【発明の概要】
【発明が解決しようとする課題】
【０００４】
無線通信システム中、ＳＰＳ  (Semi-Persistent  Scheduling)操作の改善の方法と装置が開示される。
【課題を解決するための手段】
【０００５】
本方法は、ＳＰＳ  Ｃ-ＲＮＴＩ  (Semi-Persistent  Scheduling  Cell  Radio  Network  Temporary  Identity)によりアドレスされるＰＤＣＣＨ  (Physical  Downlink  Control  Channel)により、ダウンリンク（ＤＬ）割り当てまたはアップリンク（ＵＬ）授与を有するユーザー装置（ＵＥ）を配置する工程を含む。本方法は、ＵＥで、高層、たとえば、ＲＲＣ  (Radio  Resource  Control)層中のＳＰＳ操作の再配置メッセージを受信する工程も含む。本方法は、さらに、再配置メッセージがＳＰＳ操作の解放を含む場合、再配置メッセージに基づいて、ＵＥで、ＳＰＳ操作を再配置する工程を含む。
【図面の簡単な説明】
【０００６】
【図１】一態様による無線通信システムを示す図である。
【図２】一態様によるトランスミッタシステム  (アクセスネットワークとして知られる)およびレシーバシステム  (ユーザー装置またはＵＥとして知られる)のブロック図である。
【図３】一態様による通信システムの機能ブロック図である。
【図４】一態様による図３のプログラムコードの機能ブロック図である。
【図５】本発明の態様によるフローチャートである。
【図６】本発明の態様によるフローチャートである。
【図７】本発明の態様によるフローチャートである。
【図８】本発明の態様によるフローチャートである。
【発明を実施するための形態】
【０００７】
以下で説明する無線通信システムと装置は、無線通信システムを利用し、ブロードキャストサービスをサポートする。無線通信システムは、幅広く展開されて、たとえば、音声、データ等の各種通信を提供する。これらのシステムは、符号分割多重アクセス方式  (ＣＤＭＡ)、時分割多重アクセス  (ＴＤＭＡ)、直交周波数分割多元接続  (ＯＦＤＭＡ)、３ＧＰＰ  ＬＴＥ  (Long  Term  Evolution)無線アクセス、３ＧＰＰ  ＬＴＥ-ＡまたはＬＴＥ-アドバンスト  (Long  Term  Evolution  Advanced)、３ＧＰＰ２  ＵＭＢ  (Ultra  Mobile  Broadband)、WiMaxまたは別の変調技術に基づく。
【０００８】
特に、以下で説明する例の無線通信システムが設計されて、ひとつ以上の規格、たとえば、"第3世代(3G)移動体通信システムの標準化プロジェクト（3rd  Generation  Partnership  Project、３ＧＰＰ）"により制定される規格をサポートし、文献番号  TS  36.321  V10.3.0  (2011-09),  “E-UTRA;  MAC  protocol  specification”;  TS  36.331  V10.3.0  (2011-09),  “E-UTRA;  RRC  protocol  specification”;  R2-115891,  “Details  on  SPS  reconfiguration”,  Panasonic;  R2-116392,  “SPS  reconfiguration”,  Huawei,  HiSilicon,  CATT,  Nokia  Siemens  Networks,  ZTE,  MediaTek,  Panasonic;  R2-115786,  “Discussion  on  SPS”,  CATT;  および  R2-115787,  “Clarification  on  SPS”,  CATTを含む。基準と文献は、ここで引用され、その内容は引用によって本願に援用される。
【０００９】
図１は、本発明の態様による多重アクセス無線通信システムを示す図である。アクセスネットワーク１００  (ＡＮ)は、複数のアンテナ群を含み、一アンテナ群はアンテナ１０４と１０６、もう一群はアンテナ１０８と１１０を含み、もう一群は１１２と１１４を含む。図１において、各アンテナ群に、二個のアンテナだけが示されているが、それより多くてもよい。アクセス端子１１６  (ＡＴ)  はアンテナ１１２と１１４と通信し、アンテナ１１２と１１４は、送信リンク１２０により、アクセス端子１１６に情報を伝送し、逆方向リンク１１８により、アクセス端子１１６からの情報を受信する。アクセス端子(ＡＴ)１２２はアンテナ１０６と１０８と通信し、アンテナ１０６と１０８は、送信リンク１２６により、アクセス端子(ＡＴ)１２２に情報を伝送し、逆方向リンク１２４により、アクセス端子(ＡＴ)１２２からの情報を受信する。ＦＤＤシステムにおいて、通信リンク１１８、１２０、１２４および１２６は、異なる周波数で通信する。たとえば、  送信リンク１２０は、逆方向リンク１１８とは異なる周波数を用いる。
【００１０】
各アンテナ群および／またはそれらが通信するように設計される領域は、通常、アクセスネットワークのセクター(sector)と称される。この態様において、各アンテナ群は、アクセスネットワーク１００により被覆される領域のセクター内のアクセス端子と通信するように設計される。
【００１１】
送信リンク１２０と１２６による通信時、アクセスネットワーク１００の伝送アンテナは、ビーム形成を利用して、異なるアクセス端子１１６と１２２の送信リンクの信号対ノイズ比を改善する。また、単一アンテナにより、全アクセス端子に伝送するアクセスネットワークと比較すると、ビーム形成を利用して、そのサービスエリアによりランダムに散乱するアクセス端子を伝送するアクセスネットワークは、隣接セル中のアクセス端子に対する干渉を減少させる。
【００１２】
アクセスネットワーク  (ＡＮ)は、端子と通信する固定局、または、基地局で、アクセスノード、Node  B、基地局、進化型基地局、eNodeBと称されるかまたはその他の専門用語を用いる。アクセス端子(ＡＴ)は、また、ユーザー装置（ＵＥ）、無線通信装置、端子、アクセス端子と称されるかまたはその他の専門用語を用いる。
【００１３】
図２は、ＭＩＭＯシステム２００中の送信システム２１０  (アクセスネットワークとして知られる)と受信システム２５０  (アクセス端子(ＡＴ)またはユーザー装置（ＵＥ）として知られる)の具体例を示す図である。送信システム２１０中、複数のデータストリームのトラフィックデータがデータソース２１２から提供されて、  (ＴＸ)  データプロセッサ２１４を伝送する。
【００１４】
一態様において、各データストリームが、個別の伝送アンテナにより伝送される。ＴＸデータプロセッサ２１４は、そのデータストリームに選択された特定の符号化スキームに基づいて、各データストリームのトラフィックデータをフォーマット、符号化、インターリーブして、符号化データを提供する。
【００１５】
各データストリームの符号化データは、ＯＦＤＭ技術を用いて、パイロットデータと多重化される。パイロットデータは、通常、従来の方式で処理されるデータパターンとして知られ、レシーバシステムで用いられて、チャネル応答を推定する。各データストリームの多重化パイロットと符号化データは、その後、データストリームに選択される特定の変調スキーム  (たとえば、  BPSK,  QPSK,  M-PSKまたはM-QAM)に基づいて、変調されて(すなわち、符号標示(symbol  mapped))、変調符号を提供する。各データストリームのデータレート、符号化および変調は、プロセッサ２３０により実行される命令によって決定される。
【００１６】
全データストリームの変調符号は、その後、ＴＸ  ＭＩＭＯプロセッサ２２０に提供され、さらに、変調符号を処理する(たとえば、ＯＦＤＭを使用する)。その後、ＴＸ  ＭＩＭＯプロセッサ２２０は、NT  変調符号ストリームをNT  トランスミッタ  (ＴＭＴＲ)  ２２２ａ〜２２２ｔに伝送する。ある態様において、ＴＸ  ＭＩＭＯプロセッサ２２０は、ビーム形成重量を、データストリームの符号および符号が伝送されるアンテナに提供する。
【００１７】
各トランスミッタ２２２は、各自符号ストリームを受信および処理して、ひとつ以上のアナログ信号を提供し、さらに、アナログ信号を調整  (たとえば、増幅、ろ過、アップコンバート)し、ＭＩＭＯチャネルで伝送するのに適する変調された信号を提供する。トランスミッタ２２２a〜２２２ｔからのNT  変調された信号は、その後、それぞれ、NT  アンテナ２２４a  〜２２４ｔに伝送される。
【００１８】
受信システム２５０で、伝送された変調された信号は、NR  アンテナ２５２ａ〜２５２ｒにより受信され、各アンテナ２５２から受信された信号は、各自レシーバ  (ＲＣＶＲ)２５４ａ〜２５４ｒに提供される。各レシーバ２５４は各自受信信号を調整し(たとえば、ろ過、増幅およびダウンコンバータ)、調整された信号をデジタル化し、サンプルを提供し、さらに、サンプルを処理して、対応する  “受信端”符号ストリームを提供する。
【００１９】
その後、ＲＸデータプロセッサ２６０は、特定のレシーバ処理技術に基づいて、NR  レシーバ２５４からのNR  受信符号ストリームを受信および処理して、NT  “検出”  符号ストリームを提供する。ＲＸデータプロセッサ２６０は、各検出された符号ストリームを変調、デインターリーブおよび復号して、データストリームのトラフィックデータをリカバーする。ＲＸデータプロセッサ２６０による処理は、送信システム２１０で、ＴＸ  ＭＩＭＯプロセッサ２２０とＴＸデータプロセッサ２１４により実行される処理と相補する。
【００２０】
プロセッサ２７０は、周期的に、使用するプレコーディングマトリクスを決定する(以下で討論する)。プロセッサ２７０は、マトリクス索引部分（matrix  index  portion）とランク値部分（rank  value  portion）を含む逆方向リンクメッセージを制定する。
【００２１】
逆方向リンクメッセージは、通信リンクおよび／または受信されたデータストリームに関連する各種情報を含む。逆方向リンクメッセージはＴＸデータプロセッサ２３８により処理され、データソース２３６から、複数のデータストリームのトラフィックデータを受信し、モジュレータ２８０により変調され、トランスミッタ２５４ａ〜２５４ｈにより調整され、送信システム２１０に戻される。
【００２２】
送信システム２１０で、受信システム２５０からの変調された信号が、アンテナ２２４により受信され、レシーバ２２２により調整され、復調器２４０により復調され、ＲＸデータプロセッサ２４２により処理されて、受信システム２５０により受信される逆方向リンクメッセージを抽出する。プロセッサ２３０は、その後、使用するプレコーディングマトリクスを決定して、ビーム形成重量を決定し、抽出されたメッセージを処理する。
【００２３】
図３は、本発明の一態様による通信装置のもう一つの方式の簡潔な機能ブロック図である。図３に示されるように、無線通信システム中の通信装置３００が用いられて、図１中のＵＥ(または、ＡＴ)１１６と１２２を実現し、無線通信システムは、このましくは、ＬＴＥシステムである。通信装置３００は、入力装置３０２、出力装置３０４、制御回路３０６、中央処理装置(ＣＰＵ)３０８、メモリ３１０、プログラムコード３１２、および、トランシーバ３１４を含む。制御回路３０６は、ＣＰＵ３０８により、メモリ３１０中のプログラムコード３１２を実行し、これにより、通信装置３００の操作を制御する。通信装置３００は、キーボードやキーパッド等の入力装置３０２により、ユーザーが入力する信号を受信することができ、モニターやスピーカー等の出力装置３０４によりイメージおよび音声を出力することができる。トランシーバ３１４が用いられて、無線信号を送受信し、受信した信号を制御回路３０６に伝送すると共に、制御回路３０６により生成される信号を無線方式で出力する。
【００２４】
図４は、本発明の一態様による図３中のプログラムコード３１２の簡潔なブロック図である。この態様において、プログラムコード３１２は、アプリケーション層４００、第三層４０２および第二層４０４を含み、第一層４０６に結合される。第三層４０２は、一般に、無線リソース制御を実行する。第二層４０４は、一般に、リンク制御を実行する。第一層４０６は、一般に、物理的接続を実行する。
【００２５】
ＭＡＣ規格  (TS  36.321)はＳＰＳ(Semi-Persistent  Scheduling)工程を記述し、以下のようである。
5.10  Semi-Persistent  Scheduling
0005616419.tif 000002
5.10.1 Downlink
0005616419.tif 000003
5.10.2 Uplink
0005616419.tif 000004
さらに、ＲＲＣ規格(TS  36.331)はＳＰＳ配置情報  (SPS-Config)を記述し、以下のようである。
-  SPS-Config
The  IE  SPS-Config  is  used  to  specify  the  semi-persistent  scheduling  configuration.
0005616419.tif 000005
上述のように、３種のＳＰＳ配置情報があり、ＳＰＳ  Ｃ-ＲＮＴＩ  (Cell  Radio  Network  Temporary  Identity)要素、ＳＰＳＤＬ  (Down  Link)要素およびＳＰＳＵＬ(Uplink)要素を含む。
3GPP  R2-115891は、ＳＰＳ再配置の以下の課題を紹介する。
At  RAN2#75  the  UE  behaviour  was  discussed  for  the  case  
that  SPS  reconfiguration,  i.e.  sps-Config,  is  received  while  
SPS  operation  is  activated.  During  offline  discussions  it  was
concluded  that  in  order  to  support  SPS  reconfiguration  while  
SPS  is  activated,  the  UE  would  need  to  remember  the  SFN  and
subframe  of  the  SPS  activation,  i.e.  SFN/subframe  when  SPS  
activation  PDCCH  was  received.  This  contribution  is  further  
looking  into  the  UE  requirements  which  needs  to  be  fulfilled
in  order  to  avoid  misalignment  between  network  and  UE  w.r.t.
the  calculation  of  the  SPS  occasions.
さらに、ＳＰＳが起動するとき、ＳＰＳ再配置  (たとえば、sps-Config)はサポートされるべきではないことを提案する。また、3GPP  R2-116392  は、  “配置されたダウンリンク割り当てまたは配置されたアップリンク授与があるとき、ハンドオーバ以外は、Ｅ-ＵＴＲＡＮはsps-Configを再配置しない”ことを提案する。さらに、3GPP  R2-115786  および  R2-115787は、“配置されるダウンリンク割り当ておよび配置されるアップリンク授与がない時、ＲＲＣにより再配置されるＳＰＳ再配置だけが実行される”ことを提案する。
【００２６】
一般に、ＳＰＳが運行または起動時、sps-Config  (すなわち、ＳＰＳ  ＤＬとＵＬ配置)の再配置を許可しない。しかし、ＳＰＳ操作は、２個の操作、ＤＬ  ＳＰＳおよびＵＬ  ＳＰＳに分けられる。ＳＰＳ再配置工程が処理される場合、ＤＬ  ＳＰＳが運行または起動時、ＵＬ  ＳＰＳを再配置できるはずで、逆の場合も同じである。
【００２７】
特に、ＤＬとＵＬ  ＳＰＳ操作が、異なるサービス中で独立して用いられる場合、一サービスの一方向中のＳＰＳは、失活または解放されなければならない。さらに、その他のサービスのその他の方向中のＳＰＳが配置されなければならない。  
3GPP  R2-116392は、“配置されたダウンリンク割り当てまたは配置されたアップリンク授与があるとき、ハンドオーバ以外は、Ｅ-ＵＴＲＡＮは、sps-Config  を再配置しない”ことが提案される。原因は、3GPP  R2-116392中で討論されるＵＥとｅＮＢ間のＳＰＳ好機の可能なミスマッチを回避することで、以下のようである。
【００２８】
SPS  reconfiguration  while  SPS  operation  is  activated,  requires  the  UE  to  remember  SFN/subframe  of  SPS  activation  and  potentially  also  the  number  of  SFN  wrap  around  that  happened  between  SPS  activation  and  reconfiguration.  To  avoid  potential  mismatch  between  the  eNB  and  UE,  and  to  simplify  implementation,  SPS  reconfiguration  while  SPS  operation  is  activated  should  therefore  be  forbidden.  Naturally  this  restriction  does  not  apply  to  reconfiguration  during  handover  since  the  MAC  layer  is  reset  at  the  same  time.
しかし、ＲＲＣのsps-Config  、配置されたＤＬ割り当ておよびＭＡＣのＵＬ授与が異なる層で処理され、ｅＮＢとＵＥが同期でなくなる（out  of  sync）。その結果、一状況下で、ｅＮＢは、ＤＬ  ＳＰＳが、すでに、ＰＤＣＣＨ  ＳＰＳにより解放され、ＤＬ  ＳＰＳが、実際上、遺失していると考える。この状況下で、ＵＥは、sps-Configを無視し、これは、ｅＮＢスケジューリングに違反し、別のＵＥの干渉を生じる。
【００２９】
図５は、一態様によるフローチャート５００である。工程５０５において、特定操作が、ＭＡＣ(Medium  Access  Control)層等の低層で実行される。工程５１０において、ユーザー装置  （ＵＥ）は、高層、たとえば、ＲＲＣ  (Radio  Resource  Control)  層中、特定操作の再配置メッセージを受信する。工程５１５において、再配置メッセージが特定操作の解放を含む場合、ＵＥは、再配置メッセージに基づいて、特定操作を再配置する。工程５２０において、再配置メッセージが、特定操作のパラメータへの変化を含む場合、ＵＥは、再配置メッセージを無視する。
【００３０】
図３と図４を参照すると、ＵＥ３００は、メモリ３１０に保存されるプログラムコード３１２を含む。一態様において、ＣＰＵ３０８は、プログラムコード３１２を実行して、  (i)ＭＡＣ層等の低層で、特定操作を実行する  (ii)ＵＥで、ＲＲＣ層等の高層中、特定操作の再配置メッセージを受信する  (iii)  再配置メッセージが特定操作の解放を含む場合、ＵＥで、再配置メッセージに基づいて、特定操作を再配置する、および、  (iv)  再配置メッセージが、特定操作のパラメータへの変化を有する場合、ＵＥで、再配置メッセージを無視する。  さらに、ＣＰＵ３０８は、プログラムコード３１２を実行して、上述の動作と工程または別の内容を実行する。
【００３１】
図６は、一態様によるフローチャート６００を示す図である。工程６１０において、ＵＥは、ＳＰＳ  Ｃ-ＲＮＴＩ  (Semi-Persistent  Scheduling  Cell  Radio  Network  Temporary  Identity)によりアドレスされるＰＤＣＣＨ  (Physical  Downlink  Control  Channel)により、ダウンリンク（ＤＬ）割り当てまたはアップリンク（ＵＬ）授与が配置される。工程６１５において、ＵＥは、ＲＲＣ層等の高層中、ＳＰＳ操作の再配置メッセージを受信する。工程６２０において、メッセージがＳＰＳ操作の解放を含む場合、ＵＥは、再配置メッセージに基づいて、ＳＰＳ操作を再配置する。一態様において、ＳＰＳ操作の解放は、ＳＰＳ  Ｃ-ＲＮＴＩの解放、sps-ConfigDLおよび／またはsps-ConfigULを含む。
【００３２】
図３と図４を参照すると、ＵＥ３００は、メモリ３１０に保存されるプログラムコード３１２を含む。一態様において、ＣＰＵ３０８はプログラムコード３１２を実行して、  (i)  ＳＰＳ  Ｃ-ＲＮＴＩによりアドレスされるＰＤＣＣＨにより、ＵＥに、ＤＬ割り当てまたはアップリンクＵＬ授与を配置する(ii)ＵＥで、ＲＲＣ層等の高層中、ＳＰＳ操作の再配置メッセージを受信する、および、  (iii)  再配置メッセージがＳＰＳ操作の解放を含む場合、再配置メッセージに基づいて、ＵＥで、ＳＰＳ操作を再配置する。    
さらに、一態様において、再配置メッセージがＳＰＳ操作のパラメータへの変化を含む、または、再配置メッセージがＳＰＳ操作の解放を含まない場合、ＵＥは、再配置メッセージを無視する。この態様において、ＳＰＳ操作のパラメータは、ＳＰＳ  Ｃ-ＲＮＴＩ、ＳＰＳ間隔またはＳＰＳ操作中で使用される複数のＨＡＲＱ  (Hybrid  Automatic  Repeat  Request)工程を含む。    
図７は、一態様によるフローチャート７００を示す図である。工程７１０において、ＳＰＳ操作の第一再配置メッセージが高層  (たとえば、ＲＲＣ層)で伝送される。工程７１５において、第一再配置メッセージに従って、ＳＰＳ操作が低層  (たとえば、ＭＡＣ層)で実行される。工程７２０において、ＳＰＳ操作の第二再配置メッセージが高層で伝送され、第二再配置メッセージはＳＰＳ操作の解放を含む。一態様において、ＳＰＳ操作の解放は、ＳＰＳ  Ｃ-ＲＮＴＩの解放、sps-ConfigDL、および／またはsps-ConfigULを含む。
【００３３】
図３と図４を参照すると、ＵＥ３００は、メモリ３１０に保存されるプログラムコード３１２を含む。一態様において、ＣＰＵ３０８はプログラムコード３１２を実行して、  (i)  たとえば、ＲＲＣ層等の高層中、ＳＰＳ操作第一再配置メッセージを伝送する  (ii)  第一再配置メッセージに従って、たとえば、ＭＡＣ層等の低層中、ＳＰＳ操作を実行する、および、  (iii)  高層中、ＳＰＳ操作の第二再配置メッセージを伝送し、第二再配置メッセージはＳＰＳ操作の解放を含む。  
一態様において、第二再配置メッセージに従って、ＳＰＳ操作が低層中で停止する。
【００３４】
図８は、一態様によるとフローチャート８００を示す図である。工程８１０において、ＳＰＳ操作の第一再配置メッセージは高層  (たとえば、ＲＲＣ層)で伝送される。工程８１５において、ＳＰＳ操作は、第一再配置メッセージに従って、低層  (たとえば、ＭＡＣ層)で実行される。工程８２０において、第二再配置メッセージがＳＰＳ操作の解放を含むとき、または、第二配置メッセージがハンドオーバメッセージである時以外は、ＳＰＳ操作を配置する第二再配置メッセージは、高層で伝送されない。つまり、第二再配置メッセージがＳＰＳ操作の解放を含むまたはハンドオーバメッセージである場合、第二配置メッセージは高層で伝送される。そうでなければ、第二再配置メッセージは伝送されない。一態様において、ＳＰＳ操作の解放は、ＳＰＳ  Ｃ-ＲＮＴＩの解放、sps-ConfigDLおよび／またはsps-ConfigULを含む。
【００３５】
図３と図４を参照すると、ＵＥ３００は、メモリ３１０に保存されるプログラムコード３１２を含む。一態様において、ＣＰＵ３０８はプログラムコード３１２を実行して、  (i)たとえば、ＲＲＣ層等の高層中、ＳＰＳ操作の第一再配置メッセージを伝送する  (ii)  たとえば、ＭＡＣ層等の低層中、第一再配置メッセージに従って、ＳＰＳ操作を実行する  (iii)  第二再配置メッセージがＳＰＳ操作の解放を含む時、または、第二配置メッセージがハンドオーバメッセージである時以外は、高層中、ＳＰＳ操作を再配置する第二再配置メッセージを伝送しない。
【００３６】
このほか、ＣＰＵ３０８が、プログラムコード３１２を実行して、上述の動作と工程または別の内容を実行する。
【００３７】
本発明の各種態様は上述で説明されている。ここの教示は多種の方式で具体化され、ここで開示されるあらゆる特定の構造、機能は、単なる代表に過ぎないことが明らかである。教示に基づいて、当業者は、本開示中、独立してその他のある形式を利用または多種の形式を総合して実現される。たとえば、前文中で提示されるあらゆる方式で、ある装置またはある方式を利用して実現される。一装置の実施または一方式の実行は、その他の構造または機能性、または、構造と機能性により、前文で討論される一種または多種の形式上で実現される。さらに、以上の観点を説明すると、ある態様において、パルス反復周波数(pulse  repetition  frequencies)に基づいて、並列チャネルが構築される。ある態様において、パルス位置またはオフセットに基づいて、並列チャネルが構築される。ある態様において、時間ホッピングシーケンスに基づいて、並列チャネルが構築される。ある態様において、パルス反復周波数、パルス位置またはオフセット、時間ホッピングシーケンスに基づいて、並列チャネルが構築される。
【００３８】
当業者なら理解できるように、情報および信号は、多種の異なるテクノロジーと技術により表される。たとえば、上述で引用されるデータ、指示、命令、情報、信号、ビット、符号、および、チップは、電圧、電流、電磁波、磁界または粒子、光場または粒子またはそれらの組み合わせで表される。
【００３９】
当業者なら理解できるように、開示される態様に関連する各種説明の論理ブロック、モジュール、プロセッサ、手段、回路およびアルゴリズム工程は、電子機器  (たとえば、情報源符号化またはその他の技術を用いて設計されるデジタル実現、アナログ実現または両者の組み合わせ)、各種形式のプログラムまたは指示を組み込んでいる設計コード(文中では、便宜上、  “ソフトウェア”または“ソフトウェアモジュール”と称する)または両者の組み合わせとして実施される。ハードウェアとソフトウェアのこの互換性をはっきり説明するため、各種説明のコンポーネンツ、ブロック、モジュール、回路およびステップが、上述の描写では、それらの機能性を主としている。このような機能性が、ハードウェアまたはソフトウェアとして実施されても、システム全体に課せられる特定のアプリケーションおよび設計制約に基づく。当業者は、各特定のアプリケーションに、各種方法で、上述の機能性を実施するが、このような実施の決断は、本発明の範囲から逸脱すると解釈されるべきではない。
【００４０】
さらに、本開示に関連する各種説明の論理ブロック、モジュールおよび回路は、集積回路(“ＩＣ”)、アクセス端子またはアクセスポイント内で実施される、または、集積回路(“ＩＣ”)、アクセス端子またはアクセスポイントにより実施される。ＩＣは、汎用プロセッサ、デジタルシグナルプロセッサ  (ＤＳＰ)、特定用途向け集積回路  (ＡＳＩＣ)、フィールドプログラマブルゲートアレイ  (ＦＰＧＡ)または別のプログラム可能なロジック装置、離散ゲートまたはトランジスタロジック、離散ハードウェアコンポーネント、電気素子、光学素子、機械素子またはそれらの組み合わせの設計を含んで、ここで説明される機能を実行し、ＩＣ内、ＩＣ外または両方に存在するコードまたは指令を実行する。汎用プロセッサはマイクロプロセッサであるが、別の可能性では、プロセッサは、従来のプロセッサ、コントローラ、マイクロコントローラまたは状態機械である。プロセッサは、コンピュータデバイスの組み合わせ、たとえば、ＤＳＰとマイクロプロセッサの組み合わせ、複数のマイクロプロセッサ、ＤＳＰコア、または別の類似の配置を併用したひとつ以上のマイクロプロセッサとして実施される。
【００４１】
開示されるプロセスの特定順序または階層の工程は、実例のアプローチであることが理解できる。デザイン嗜好に基づいて、理解できることは、プロセスの特定順序または階層の工程は、再配置でき、残りは本発明の範囲内であることである。付随する方法は、例の順序で、各種工程の素子を主張し、よって、ここで示される特定の順序または階層に制限されることを意味しない。
【００４２】
本発明の明細書で開示される方法またはアルゴリズムの工程は、直接、プロセッサにより実行されるハードウェア、ソフトウェアモジュールまたは両者の組み合わせで具体化される。ソフトウェアモジュール  (たとえば、実行可能な命令と関連データを含む)および他のデータは、データメモリ、たとえば、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ-ＲＯＭまたは従来のその他の形式のコンピュータ読み取り可能ストレージ媒体に存在する。サンプルストレージ媒体は、機器、たとえば、コンピュータ/プロセッサ  (便宜的に、  “プロセッサ”と称する)  に結合され、このようなプロセッサは、ストレージ媒体から情報  (たとえば、コード)を読み取り、ストレージ媒体に情報を書き込むことができる。サンプルストレージ媒体はプロセッサに不可欠である。プロセッサおよびストレージ媒体はＡＳＩＣに存在する。ＡＳＩＣはユーザー装置に存在する。あるいは、プロセッサおよびストレージ媒体は、ユーザー装置中の離散コンポーネンツとして存在する。さらに、ある態様において、任意の適当なコンピュータプログラム製品は、ひとつ以上の態様に関連するコードを含むコンピュータ読み取り可能媒体を含む。ある態様において、コンピュータプログラム製品は、パッケージ材料である。
【００４３】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明の保護範囲は、特許請求の範囲で指定した内容を基準とする。
【図１】
0005616419.tif 000006
【図２】
0005616419.tif 000007
【図３】
0005616419.tif 000008
【図４】
0005616419.tif 000009
【図５】
0005616419.tif 000010
【図６】
0005616419.tif 000011
【図７】
0005616419.tif 000012
【図８】
0005616419.tif 000013